(57)【特許請求の範囲】
【請求項１】
剥離シートが、少なくとも、一方の側に位置する第１部分と他方の側に位置する第２部分とに分割可能になっている貼付剤を貼付するのを補助するための貼付剤貼付用補助器具であって、
断面が略Ｕ字状である本体を備え、前記本体の自由端部には、前記貼付剤における前記剥離シートの第１部分又は第２部分に剥離可能に付着する付着部が形成されており、
無負荷状態において、前記自由端部間の距離が貼付剤の長辺の長さよりも短く、かつ、力を加えて前記自由端部間を互いに接近させた後、その力を取り除いた際に、無負荷状態における前記自由端部間の距離が復元されるよう、前記本体が弾性変形可能であることを特徴とする、貼付剤貼付用補助器具。
【請求項２】
前記本体が、矩形のベース部と、互いに対面する２つの側片部とからなり、前記ベース部と前記側片部とが、分離可能に組み付けることができる、請求項１に記載の貼付剤貼付用補助器具。
【請求項３】
前記貼付剤における前記剥離シートは、前記第１部分と前記第２部分の切れ目が波形であり、前記本体の自由端部の形状が、前記波形に相補的な波形となっている、請求項１又は２に記載の貼付剤貼付用補助器具。
【請求項４】
前記本体に分離可能に組み付けることのできる持ち手を備える、請求項１〜３のいずれか一項に記載の貼付剤貼付用補助器具。
【発明の詳細な説明】
【技術分野】
【０００１】
本発明は貼付剤貼付用補助器具に関する。
【背景技術】
【０００２】
従来から、肩こり、腰痛、筋肉痛、筋肉疲労、関節痛等の改善を目的とした多様な貼付剤が流通している。これらの貼付剤は、通常、支持体と、その支持体の一方の面に設けられた、薬効成分を含有する粘着剤層と、粘着層剤の表面に剥離可能に付着された剥離シートとから構成されている。そして、使用時には、剥離シートを粘着剤層から剥がして粘着剤層を露出させ、貼付部位に貼付するようになっている。しかしながら、貼付剤は、一般に柔軟であり取り扱いにくく、シワになりやすいという問題がある。
【０００３】
このため、剥離シートが、連続した１枚ではなく、一部に切れ目が入った、２枚以上に分割可能となっているタイプの貼付剤が開発され、一般的に用いられている。このような貼付剤は、使用時、まず剥離シートの一部のみを剥離して、露出した粘着剤層を患部に貼付し、その後、残りの部分の剥離シートを剥離し、貼付剤全体を患部に貼付する。この貼付方法によれば、露出した粘着剤層の面積が小さくなるため、シワの発生が抑制され、また、粘着剤層同士が接して付着することも少なくなる。しかしながら、より一層シワの発生を抑制ないしは防止することができる貼付剤や、貼付剤貼付方法、その他の手段が求められている。
【０００４】
そこで、従来においては、貼付剤を患部に対してスムーズにかつきれいに貼付するための補助器具が種々提案されている。例えば特許文献１に記載の貼付剤貼付用補助器具は、貼付剤よりも大きな面を有する支持体と、支持体の一方の面に感圧性接着剤が塗布されており貼付剤を一時的に剥離可能に保持する粘着面部と、非粘着面部とから構成されている。このような貼付剤貼付用補助器具を使用すれば、貼付剤が支持体により支持されるため、貼付作業中に貼付剤が折れ曲がることにより貼付剤の粘着剤層同士が付着してしまうという問題が解消され、シワなくきれいに貼付することができる。
【先行技術文献】
【特許文献】
【０００５】
【特許文献１】特許第４６９４７６６号
【発明の概要】
【発明が解決しようとする課題】
【０００６】
しかし、特許文献１に記載の貼付剤貼付用補助器具は、支持体の粘着面部が略平坦であるため、そこに貼付剤を保持させた後に剥離シートを除去することが困難となる場合がある。これに対しては、剥離シートを貼付剤から剥離した後に、貼付剤を貼付剤貼付用補助器具の粘着面部に保持させることも考えられるが、その場合には、貼付剤の柔軟性から、貼付剤の粘着剤層同士が付着したり、シワが発生したりするおそれがある。
【０００７】
本発明は、上記従来技術の有する問題に鑑みてなされたものであり、貼付剤をシワなくきれいに貼付することが容易である貼付剤貼付用補助器具を提供することを目的とする。
【課題を解決するための手段】
【０００８】
本発明は、剥離シートが、少なくとも、一方の側に位置する第１部分と他方の側に位置する第２部分とに分割可能になっている貼付剤を貼付するのを補助するための貼付剤貼付用補助器具であって、断面が略Ｕ字状である本体を備え、この本体の自由端部には、貼付剤における剥離シートの第１部分又は第２部分に剥離可能に付着する付着部が形成されており、無負荷状態（自然状態）において、自由端部間の距離が貼付剤の長辺の長さよりも短く、かつ、本体が弾性変形可能であることを特徴とする貼付剤貼付用補助器具を提供する。
【０００９】
ここで、断面が略Ｕ字状であるとは、筒状体の側面の一部が、筒状体の長手方向軸線に沿って、筒状体の一方の端から他方の端まで切除されている形状をいう。
【００１０】
このような構成を有する貼付剤貼付用補助器具を用いることによって、所望の位置に貼付剤を容易にシワなくきれいに貼付することができる。また、付着部に貼付剤の剥離シートを剥離可能に付着させることができるので、本発明の貼付剤貼付用補助器具を繰り返し使用することができる。
【００１１】
また、貼付剤貼付用補助器具の本体は、矩形のベース部と、互いに対面する２つの側片部とからなり、ベース部と側片部とが、分離可能に組み付けることができることが好ましい。このような構成を採用することで、貼付剤貼付用補助器具を必要な時に組み立て、不要な時には分解できるので、持ち運びや収納が容易である。
【００１２】
また、貼付剤貼付用補助器具は、剥離シートの第１部分と第２部分の切れ目が波形である貼付剤を貼付する場合には、本体の自由端部の形状が、剥離シートの波形に相補的な波形となっていることが好ましい。このような形状を採用することで、貼付剤の剥離シートを貼付剤貼付用補助器具の付着部に付着させる際の位置合わせをより簡単に行うことができ、貼付剤の捻れ等を防いで、より容易にシワなくきれいに貼付することできる。
【００１３】
また、貼付剤貼付用補助器具は、本体に分離可能に組み付けることのできる持ち手を備えていることが好ましい。このような持ち手を本体に接続することで、患部に手が届きにくい場合であっても、シワなくきれいに貼付することがより容易となる。
【発明の効果】
【００１４】
本発明は、貼付剤をシワなくきれいに貼付することが容易である貼付剤貼付用補助器具を提供する。
【図面の簡単な説明】
【００１５】
【図１】貼付剤貼付用補助器具の一実施形態を示す上方からの斜視図である。
【図２】（ａ）は図１の貼付剤貼付用補助器具を示す平面図である。（ｂ）は図１の貼付剤貼付用補助器具を示す正面図である。（ｃ）は図１の貼付剤貼付用補助器具を示す底面図である。（ｄ）は図１の貼付剤貼付用補助器具を示す左側面図である。（ｅ）は図１の貼付剤貼付用補助器具を示す背面図である。（ｆ）は図１の貼付剤貼付用補助器具を示す右側面図である。
【図３】図１の貼付剤貼付用補助器具を示す下方からの斜視図である。
【図４】（ａ）は適用される貼付剤の一例を示す斜視図である。（ｂ）は（ａ）の貼付剤を二つ折りにし、中央の剥離シートを取り除いた状態の斜視図である。
【図５】図１の貼付剤貼付用補助器具で貼付剤を挟んだ状態を示す斜視図である。
【図６】図１の貼付剤貼付用補助器具に、貼付剤を取り付けた状態を示す斜視図である。
【図７】（ａ）は図１の貼付剤貼付用補助器具を用いて、貼付剤の粘着剤層を肩にあてた状態を示す斜視図である。（ｂ）は（ａ）の状態から、貼付剤貼付用補助器具をさらに下方向に押し込んだ状態を示す斜視図である。（ｃ）は（ｂ）の状態から、貼付剤貼付用補助器具を肩の外側にずらして外した状態を示す斜視図である。
【図８】図１の貼付剤貼付用補助器具の、持ち手を分離した状態を示す下方からの斜視図である。
【図９】図１の貼付剤貼付用補助器具に、持ち手を接続して肩に貼付剤を貼付する方法を示す斜視図である。
【図１０】図１の貼付剤貼付用補助器具の側片部を、持ち手のクリップ部で挟んだ状態を示す斜視図である。
【図１１】本発明の貼付剤貼付用補助器具に適用可能である貼付剤の別の例を示す斜視図である。
【発明を実施するための形態】
【００１６】
以下、図面を参照しながら、本発明による貼付剤貼付用補助器具の好適な実施形態について詳細に説明する。尚、図中、同一又は相当部分には同一符号を付し、その詳細な説明は省略する。
【００１７】
図１は、本実施形態に係る貼付剤貼付用補助器具（以下、「補助器具」という。）１０の上方からの斜視図である。図２は補助器具１０の六面図である。図３は、補助器具１０の下方からの斜視図である。
【００１８】
尚、本実施形態に係る補助器具１０は、図４（ａ）に示すような貼付剤５０を貼付するのを補助する際に用いられる。この貼付剤５０は、粘着剤層５２上に、剥離シート５４、５６、５８を有する。剥離シート５４（第１部分）と剥離シート５８との間の切れ目５５、及び剥離シート５６（第２部分）と剥離シート５８との間の切れ目５７は、波形である。
【００１９】
本実施形態に係る補助器具１０は、図１に示すとおり、断面が略Ｕ字状である本体１２を備えている。本体１２は、矩形のベース部１４と２つの互いに対面する側片部１６、１８とからなっている。ベース部１４、側片部１６、１８は、弾性変形可能な適当な材料、例えば、ポリエチレン、ポリプロピレン等の合成樹脂などから形成されている。
【００２０】
ベース部１４は矩形の板状であり、面全体がほぼ平坦であるので、例えばベース部１４を机などに置く際は、安定させることができる。
【００２１】
２つの側片部１６、１８は、図２の（ｂ）、（ｅ）に示すように、互いに相反する方向に湾曲している。また側片部１６、１８は図２の（ｄ）、（ｆ）に示すように、左右の端縁が凹レンズ状に湾曲している。これは、側片部１６、１８が弾性変形しやすいようにするためである。また、側片部１６、１８の自由端部間の距離は、無負荷状態（自然状態）で貼付剤５０の長辺の長さよりも短くされている。
【００２２】
側片部１６、１８は、自由端部側に貼付剤取付部２０、２２を有する。貼付剤取付部２０、２２は、図５に示すように、２つの側片部１６、１８を互いに接近させ、中央で合わせた時に貼付剤取付部２０、２２がちょうど面で接するように、側片部１６、１８の湾曲した面に対して外側に広がるように角度を持って設けられている。貼付剤取付部２０、２２のそれぞれの自由端部の形状は、貼付剤５０における剥離シート５４、５８間の切れ目５５及び剥離シート５６、５８間の切れ目５７の波形と相補的な波形となっている。
【００２３】
各貼付剤取付部２０、２２は、その他方の貼付剤取付部２２、２０に面する側の表面上に貼付剤５０の剥離シートを付着させるための付着部２４、２６をそれぞれ含む。付着部２４、２６は、付着及び剥離を繰り返すことができる材料から形成されているため、貼付剤５０の剥離シート５４、５８の付着及び剥離を何度も行うことができる。このような材料としては、例えば、ＴＧシート（商品名、清和産業社製）を用いることができ、この材料は汚れても水洗いでき元の状態に再生させることができる。尚、本補助器具１０を最初に使用する前の状態では、付着部２４、２６には適当な保護シートが剥離可能に付着され、付着部２４、２６の付着力が汚れ等により低下しないようにしておくことが好ましい。
【００２４】
ベース部１４と側片部１６及び１８とは、別個独立の板状部材から構成されていてもよく、その場合、分離可能に組み付けることができる構造となる。かかる場合、ベース部１４となる板状部材（以下、「ベース部板状部材」と呼ぶ）の長辺２８、３０には、そのベース部板状部材に垂直に側片部１６、１８となる板状部材（以下、「側片部板状部材」と呼ぶ）をそれぞれ差し込むことのできる溝を有する。ベース部板状部材の溝の内部には凸部３１が、側片部板状部材には前記凸部３１に相補的な孔３３がそれぞれ設けられている。側片部板状部材をベース部板状部材の溝に差し込んだ時に、前記凸部３１が孔３３にはめ込まれることで、貼付作業中に分解することのないように組み立てることができ、また、不要な時には容易に分解することができる。
【００２５】
次に、上述したような構成の補助器具の使用方法を説明する。
【００２６】
補助器具１０の付着部２４、２６に保護シートが付着している場合は予め剥離しておく。図４（ａ）に示す貼付剤５０の中央の剥離シート５８を剥離し、露出した粘着剤層５２が外側になるようにして貼付剤５０を二つに折る（図４（ｂ））。そして、貼付剤５０に付着したままの一方の剥離シート５４の波形と、貼付剤取付部２０の波形とを合わせるようにして、剥離シート５４と貼付剤取付部２０とを接触させると、剥離シート５４は付着部２４に剥離可能に付着する。この後に、図５に示すように、２つの側片部１６及び１８を互いに接近させていき、もう一方の剥離シート５６の波形と、貼付剤取付部２２の波形とを合わせるようにして、剥離シート５６と貼付剤取付部２２とを接触させ、剥離シート５６を付着部２６に剥離可能に付着させる。次いで、側片部１６、１８にかけていた力を取り除くと、本体１２、特に側片部１６、１８の弾性復元力により側片部１６、１８が元の状態（図１の状態）に戻ろうとし、貼付剤５０の剥離シート５４、５６が粘着剤層５２から剥離していく。最終的には、補助器具１０の自由端部間の距離が、無負荷状態で貼付剤５０の長辺の長さよりも短いことによって、貼付前に貼付剤５０の剥離シート５４、５６が、貼付剤取付部２０、２２から脱落することがない。また、粘着剤層５２が上方に露出した状態となり、かつ、粘着剤層５２が貼付剤取付部２０、２２間に張った状態となる（図６）。
【００２７】
続いて、図７に、上記の方法で貼付剤５０を保持させた補助器具１０を用いて、肩へ貼付する場合の方法を示す。まず、図７（ａ）に示すように、貼付剤５０を保持させた補助器具１０のベース部１４側を持ち、露出した粘着剤層５２を所望の位置にあてる。次いで、図７（ｂ）に示すように、補助器具１０をゆっくり押し込む。この時、貼付剤５０の剥離シート５４、５６が付着した側片部１６、１８が左右に押し開かれるので、剥離シート５４、５６の全面が貼付剤５０から剥離され、貼付剤の粘着剤層５２の全体が患部に貼付される。この間、貼付剤５０は、貼付剤取付部２０、２２間で張力をかけられた状態に保持されているので、シワになりにくい。最後に、図７（ｃ）に示すように、補助器具１０を肩の外側にずらして外し、貼付作業が終了する。このように、本実施形態の補助器具１０を用いれば、貼付剤５０から剥離シート５４，５８を除去することが容易である。また、貼付剤に弛みや捻れが生じにくいため、貼付剤５０の粘着剤層５２同士が付着したりシワが発生したりすることなく、きれいに貼付することができる。貼付作業中に貼付剤５０の粘着剤層５２に直接触れることなく貼付することが可能である。
【００２８】
本実施形態の補助器具１０は、さらに持ち手３２を接続して用いてもよい。例えば、持ち手３２は、図８に示すように、持ち手３２の軸方向を、ベース部１４の側片部１６、１８が組み付けられた方向とし、ベース部１４の、側片部１６、１８を組み付ける側の反対側の面に沿うように接続されるようにするとよい。図示の実施形態では、持ち手３２及びベース部１４は、互いに接続及び分離することが容易にできる構造を有している。
【００２９】
持ち手３２の軸上には、図８に示すように、持ち手３２を持ちやすくし、かつ、持ち手３２を補強するためのリブ３４を有する。リブ３４は、持ち手３２の、ベース部１４に接する面の反対側の面に垂直に設けられている。また、持ち手３２の、ベース部１４に接続する側とは反対側の先端の両側には、一体成型されたクリップ部３６を有する。
【００３０】
図９は、このような補助器具１０に持ち手３２を接続した場合の、肩への貼付方法を示す斜視図である。持ち手３２を接続していない場合と同様に貼付剤５０を補助器具１０に保持させた後、持ち手３２をつかんで患部に貼付剤５０を貼付することができる。これにより、患部に手が直接届きにくい場合にも、貼付作業を容易に行うことができる。
【００３１】
補助器具１０として使用しない時には、図１０に示すように、持ち手３２の端部の左右にあるクリップ部３６を利用して、側片部１６、１８の貼付剤取付部２０、２２を挟んでおくこともできる。これにより、補助器具１０をコンパクトに保持することが可能となり、収納等に便利となる。また、側辺部１６、１８の自由端部間の距離が一定に保たれるので、付着部２４，２６同士が接触し、それにより付着部２４、２６の付着力の低下が防止される。
【００３２】
本発明の補助器具１０は、上述の実施形態に限定されない。例えば、上述の使用方法では肩に貼付剤５０を貼付する場合を述べたが、側片部１６、１８を広げられる部位、例えば腕、背中等に貼付剤５０を貼付するためにも使用できる。
【００３３】
なお、本発明の補助器具１０は、ベース部１４及び側片部１６、１８が一体成型されていてもよい。また、本体１２の全体的な外観形状を略円筒状等、種々の筒状体形状とすることもできる。また、側片部１６、１８の左右の端縁は、内側に湾曲していなくてもよく、直線状や波形などの様々な形状をしていてもよい。側片部１６、１８の面も、湾曲していなくてもよい。貼付剤取付部２０、２２は、外側に付着部２４、２６を有し、内側に折れ曲がるようになっていてもよい。貼付剤取付部２０、２２の自由端部の形状は、波形でなくてもよい。
【００３４】
また、適用される貼付剤５０は、図４に示されるものだけでなく、図１１に示すような剥離シート６０の切れ目６２が１本だけのものであってもよく、また、その切れ目６２が波形でなく例えば直線状のものでもよい。その場合、側片部１６、１８の自由端部の形状は剥離シート６０の切れ目６２の形状に合わせて直線などでもよい。図１１の貼付剤５０を用いる場合、まず切れ目６２で剥離シート６０を第１部分６０ａと第２部分６０ｂとに切り離し、切れ目６２に沿うそれぞれの端部を貼付剤取付部２０、２２の付着部２４，２６に付着させる。以降は上記と同様にして貼付を行うこととなる。
【００３５】
側片部１６、１８の自由端部の外側には、半円状の摘み部３８を備えていてもよい。摘み部３８を外側に引っ張ることで、貼付剤を保持させた側片部１６、１８を指で容易に外側に広げることができる。
【符号の説明】
【００３６】
１０…貼付剤貼付用補助器具、１２…本体、１４…ベース部、１６，１８…側片部、２０，２２…貼付剤取付部、２４，２６…付着部、２８，３０…長辺、３１…凸部、３２…持ち手、３３…孔、３４…リブ、３６…クリップ部、３８…摘み部、５０…貼付剤、５２…粘着剤層、５４…剥離シート（第１部分）、５５…切れ目、５６…剥離シート（第２部分）、５７…切れ目、５８…剥離シート、６０…剥離シート、６０ａ…第１部分、６０ｂ…第２部分、６２…切れ目。
【要約】
【課題】貼付剤をシワなくきれいに貼付することが容易である貼付剤貼付用補助器具を提供することを目的とする。
【解決手段】剥離シートが、少なくとも、一方の側に位置する第１部分と他方の側に位置する第２部分とに分割可能になっている貼付剤を貼付するのを補助するための貼付剤貼付用補助器具であって、断面が略Ｕ字状である本体を備え、前記本体の自由端部には、前記貼付剤における前記剥離シートの第１部分又は第２部分に剥離可能に付着する付着部が形成されており、無負荷状態において、前記自由端部間の距離が貼付剤の長辺の長さよりも短く、かつ、前記本体が弾性変形可能であることを特徴とする、貼付剤貼付用補助器具を提供する。
【選択図】図１【図１】
0005442086.tif 000002
【図２】
0005442086.tif 000003
【図３】
0005442086.tif 000004
【図４】
0005442086.tif 000005
【図５】
0005442086.tif 000006
【図６】
0005442086.tif 000007
【図７】
0005442086.tif 000008
【図８】
0005442086.tif 000009
【図９】
0005442086.tif 000010
【図１０】
0005442086.tif 000011
【図１１】
0005442086.tif 000012